(57)【要約】      （修正有）【課題】ネジ部品や工具を必要とせず、組み立てられ、長時間緩むことがないメガネテンプル構造を提供する。【解決手段】メガネテンプル構造は、フレーム及びテンプルを含む。フレームとテンプルの間は枢設孔と枢設軸を備え、枢設孔の内部表面は凹凸部を成形し、枢設軸の表面は凹凸部と相互に対応する掛合溝部を成形する。枢設軸を簡単に枢設孔内に嵌合し、該テンプルを多角度に調整する。【選択図】図３
0003181187.tif 000002
【実用新案登録請求の範囲】
【請求項１】
主にフレーム及びテンプルから構成されたメガネテンプル構造において、そのうち、
該フレームは、両側に連接部を成形し、該連接部は枢設孔を含み、該枢設孔の表面は凹凸部を形成し、
該テンプルは連接部の一端に対応して上接続段及び下接続段を含み、該上接続段と該下接続段は枢設孔に対応し相互に合わせる枢設軸を設置し、該枢設軸の表面には凹凸部の外型と相互に対応する掛合溝部を成形し、
枢設軸を枢設孔内に嵌合枢設して該テンプルを多角度に調整して定位することを特徴とするメガネテンプル構造。
【請求項２】
フレーム及びテンプルを含むメガネテンプル構造において、そのうち、
該フレームの両側に連接部を成形し、上接続段及び下接続段を含み、該上接続段と該下接続段は、枢設軸を凸設し、該枢設軸の表面には掛合溝部を成形し、
該テンプルの連接部に対応する一端には設有對應枢設軸に対応する枢設孔を設置し、該枢設孔の表面は掛合溝部の外型と相互に対応する凹凸部を成形し、
該枢設軸を枢設孔内に嵌合枢設して該テンプルを多角度に調整して定位することを特徴とするメガネテンプル構造。
【考案の詳細な説明】
【技術分野】
【０００１】
本考案は、メガネテンプル構造に関するもので、特にメガネフレームとテンプル間を結合する折曲関節構造である。
【背景技術】
【０００２】
公知のメガネテンプル構造は、図１に示すとおり、フレーム１０、二本のテンプル１２及び二ネジ１３を含む。該フレーム１０二側にはそれぞれ方向が反対の枢設部１１を設置し、該枢設部１１は枢設耳１１１を備える。該テンプル１２は、前端に設置する枢設環１２１を含み、該二枢設環１２１は、それぞれ該枢設耳１１１と対応し、二ネジ１３が同時に枢設環１２１及び枢設耳１１１を貫通して螺合することによって該テンプル１２の活動端が該ネジ１３を軸心としてフレーム１０に相対して外張もしくは内折に動作する。しかしながら、公知のメガネテンプル構造は基本的な展開機能は備えるが、使用者は通常該テンプル１２を展開もしくは折畳操作の過程において、ネジ１３も同時に回転するため、長時間使用すると、ネジが徐々に緩み、時々締め直しをしなければならず、不便である。
【０００３】
その他、該種のテンプル構造はネジの締め具合が強い場合には、テンプル１２が開きにくくなる問題が発生し、締め具合が緩い場合にはテンプル１２が揺れてしまい、場合によってはレンズフレームもしくレンズに当たってしまう。高価格のフレーム製品にこの種の問題が発生した場合、消費者の購買意欲にも影響を及ぼすため、改善の余地がある。
【先行技術文献】
【特許文献】
【０００４】
【特許文献１】特開２００２−２８７０９８号公報
【考案の概要】
【考案が解決しようとする課題】
【０００５】
解決しようとする問題点は、テンプルの開閉角度が開閉の二種しかない点、及びテンプルのネジが長時間使用することに拠って、緩んでしまう点である。
【課題を解決するための手段】
【０００６】
本考案は、フレーム及びテンプルを含む。フレームとテンプルの間は枢設孔と枢設軸を備え、枢設孔の内部表面は凹凸部を成形し、枢設軸の表面は凹凸部と相互に対応する掛合溝部を成形することを最も主要な特徴とする。
【考案の効果】
【０００７】
本考案のメガネテンプル構造は、本考案の枢設軸を直接枢設孔に直接嵌合する方式によって、ネジ部品及びその他の工具を必要とせずに組み立てを完成する。メガネが組み立てられるだけでなく、長時間使用しても緩むことがない。凹凸部と掛合溝部の定位構造によって、テンプルとフレームの間に多段の細かい角度調整を行い、高級感を高めるという利点がある。
【図面の簡単な説明】
【０００８】
【図１】公知のメガネテンプル構造立体分解図である。
【図２】本考案の実施例の組立指示図である。
【図３】本考案の実施例の構造分解図である。
【図４】本考案の別の実施例構造分解図である。
【図５】本考案の更に別の実施例構造分解図である。
【考案を実施するための形態】
【０００９】
本考案は、ネジを使用せずに結合し、テンプルを自在に多角度に調整するテンプル構造である。
【００１０】
上述の問題を達成するため、本考案はメガネテンプル構造を提供し、それはフレーム及びテンプルを含む。そのうち、該フレームは、両側に連接部を成形する。該連接部は枢設孔を含み、該枢設孔の表面は凹凸部を形成する。該テンプルは、連接部の一端に対応し、上接続段及び下接続段を含む。該上接続段と該下接続段には、それぞれ枢設孔に対応して合わさる枢設軸を凸設し、該枢設軸の表面には凹凸部外型と相互に対応する掛合溝部を形成する。それらに拠って、枢設軸を枢設孔内に嵌合し、該テンプルを多角度で調整し定位する。
【００１１】
上述メガネテンプル構造のうち、該枢設孔は枢設環を含む。枢設環の内面には掛合溝部と相互に対応する凹凸部を成形し、連接部に設置した嵌合孔にしっかりと合わさる。
【００１２】
上述メガネテンプル構造のうち、枢設軸は掛合溝環を含む。掛合溝環の表面は凹凸部と対応する掛合溝部を成形し、上接続段と該下接続段にそれぞれ設置した凸接部を嵌合する。
【実施例】
【００１３】
本考案の構造特徴、機能及びその他の特徴を更に一歩理解するため、実施例を挙げて図式とともに説明する。
【００１４】
図２及び図３に示すとおり、本考案はフレーム２及びテンプル３を含む。そのうち、
【００１５】
該フレーム２は、両側に連接部２１を成形し、該連接部２１は枢設孔２２を含み、枢設孔２２の内表面には複数本が平行に配列した凹凸部２２１が成形される。
【００１６】
該テンプル３は、連接部２１の一端に対応し、上接続段３１及び下接続段３２を成形する。該上接続段３１と該下接続段３２には、それぞれ枢設孔２２に相互に合わさる枢設軸３３を凸設し、該枢設軸３３表面は凹凸部２２１と相互に対応する掛合溝部３３１を形成する。該掛合溝部３３１は凹凸部２２１に相対して回転し、適度な固定力を備え、各角度で停止する。
【００１７】
上述の本考案メガネテンプル構造は、テンプル３の枢設軸３３が連接部２１の枢設孔２２内に嵌合枢設し、簡単にテンプル３を組み立てる機能を備える。掛合溝部３３１と凹凸部２２１間が多角度で停止する效果によって、テンプル３は多角度で自在に外張もしくは折合せができ、公知のメガネテンプル構造が外張もしくは内折の２種角度しかないのとは異なる。更にメガネテンプルは多段で動作し、メガネの質感と価値を高め、特に高価格のメガネに良好な影響を与える。
【００１８】
図４に示すのは、本考案のテンプル構造の別一実施例立体図である。本実施例に示すとおり、枢設孔２３は枢設環２３１を含む。該枢設環２３１内面には複数本の平行歯が平均して配列した凹凸部２３２が形成し、それを連接部２１に設置した一嵌合孔２４内にしっかりと挿着する。枢設軸３４は掛合溝環３４１を含み、環面には凹凸部２３２と相互に対応する掛合溝部３４２を成形し、上接続段３１と該下接続段３２にそれぞれ設置した凸接部３５に嵌合する。上述の枢設軸３４を枢設孔２３内に設置することによって、テンプル３を簡単に組み立てる目的を達成し、同時に簡単な加工方式を提供する。
【００１９】
図５に示すとおり、本考案は枢設軸を含み、それを枢設孔に設置した多角度に湾曲するメガネ構造である。注意することとして、該枢設軸と該枢設孔は図に示すとおり、フレーム４の両側に設置した連接部は上接続段４１及び下接続段４２を含み、該上接続段４１と該下接続段４２は枢設軸４３を凸設する。該枢設軸４３の表面には掛合溝部４３１を成形する。該テンプル５は連接部の一端に対応し、枢設軸に対応する枢設孔５１を設置する。該枢設孔５１の表面には掛合溝部４３１の外型と相互に対応する凹凸部５１１を成形し、同様にフレームとテンプルを枢設した後、テンプルが多角度で固定する効果を達成し、本考案の枢設孔と枢設軸は必要に拠って位置を調整する。
【００２０】
以上実施例の説明から、本考案の構造と公知構造を比較した場合、少なくとも以下の長所を備える。本考案の枢設軸を直接枢設孔に嵌合する方式によって、ネジ部品及びその他工具を必要とせずに、組立が完成し、メガネが組み立てられるだけでなく、長時間使用してもネジが緩む問題が発生しにくい。凹凸部と掛合溝部の定位構造によってテンプルとフレームの間に多段階の角度調整を行い、高級感を高める。
【００２１】
上述のとおり、本考案は予定の目的を達成し、産業上のりよう可能性を高める要件に符合するため、特許を申請する。しかしながら、本考案の良好な実施例は、本考案を限定するものではなく、本考案の請求範囲を基準とする。
【符号の説明】
【００２２】
公知
１０      フレーム
１１      枢設部
１１１      枢設耳
１２      テンプル
１２１      枢設環
１３      ネジ
本考案
２      フレーム
２１      連接部
２２      枢設孔
２２１      凹凸部
２３      枢設孔
２３１      枢設環
２３２      凹凸部
２４      嵌合孔
３      テンプル 
３１      上接続段
３２      下接続段
３３      枢設軸
３３１      掛合溝部
３４      枢設軸
３４１      掛合溝環
３４２      掛合溝部
３５      凸接部
４      フレーム
４１      上接続段
４２      下接続段
４３      枢設軸
４３１      掛合溝部
５      テンプル
５１      枢設孔
５１１      凹凸部
【図１】
0003181187.tif 000003
【図２】
0003181187.tif 000004
【図３】
0003181187.tif 000005
【図４】
0003181187.tif 000006
【図５】
0003181187.tif 000007
【手続補正書】
【提出日】平成24年11月21日(2012.11.21)
【手続補正１】
【補正対象書類名】実用新案登録請求の範囲
【補正対象項目名】請求項２
【補正方法】変更
【補正の内容】
【請求項２】
フレーム及びテンプルを含むメガネテンプル構造において、そのうち、
該フレームの両側に連接部を成形し、上接続段及び下接続段を含み、該上接続段と該下接続段は、枢設軸を凸設し、該枢設軸の表面には掛合溝部を成形し、
該テンプルの連接部に対応する一端には該枢設軸に対応する枢設孔を設置し、該枢設孔の表面は掛合溝部の外型と相互に対応する凹凸部を成形し、
該枢設軸を枢設孔内に嵌合枢設して該テンプルを多角度に調整して定位することを特徴とするメガネテンプル構造。